(57)【要約】【課題】電源が不調になり電源容量が不足した場合に、最小限の構成で動作を継続することができ、また、電源のステータス情報を通知することができるスイッチャおよびスイッチャの電源管理方法を提供する。【解決手段】複数の電源装置１１１〜１１ｎから電力供給を受ける複数の映像処理装置１３１〜１３ｎを制御するスイッチャ１０であって、映像処理装置１３１〜１３ｎの優先順位を管理する制御装置１２を備え、制御装置は、スイッチャの起動時に、最初に起動して電源装置１１１〜１１ｎから電源装置１１１〜１１ｎのステータス情報を取得し、ステータス情報から有効な電源装置の台数を判断し、優先順位と有効な電源装置の台数とに基づいて起動可能な映像処理装置を選択し、起動可能な映像処理装置だけを起動する制御装置とを備えたことを特徴とする。【選択図】図４
2012123734.tif 000002
【特許請求の範囲】
【請求項１】
複数の電源装置から電力供給を受ける複数の映像処理装置を制御するスイッチャであって、
前記映像処理装置の優先順位を管理する制御装置を備え、
前記制御装置は、前記スイッチャの起動時に、最初に起動して前記電源装置から前記電源装置のステータス情報を取得し、前記ステータス情報から有効な電源装置の台数を判断し、前記優先順位と前記有効な電源装置の台数とに基づいて起動可能な映像処理装置を選択し、前記起動可能な映像処理装置だけを起動する制御装置とを備えた
ことを特徴とするスイッチャ。
【請求項２】
制御装置は、スイッチャの起動後、電源装置から供給される電源電圧が予め設定された閾値を下回ったときに、スイッチャの最終出力に使用されていない映像処理装置には最も低い優先度を設定し、スイッチャの最終出力に使用されている映像処理装置には優先順位に基づいて優先度を設定し、優先度の低い映像処理装置から順に回路を停止させる
請求項１に記載のスイッチャ。
【請求項３】
映像処理装置は、複数の回路を備え、電源装置から供給される電源電圧が予め設定された閾値を下回ったときに、制御装置から設定された優先度が低い場合は、動作状態に応じて前記回路に優先度を設定し、優先度の低い回路の電力供給を停止させる
請求項１または請求項２に記載のスイッチャ。
【請求項４】
制御装置は、電源装置から前記電源装置のステータス情報を取得すると、外部インタフェースを介して操作端末に前記電源装置のステータス情報を送信する
請求項１から請求項３のいずれか１項に記載のスイッチャ。
【請求項５】
複数の電源装置から電力供給を受ける複数の映像処理装置を制御するスイッチャの電源管理方法であって、
映像処理装置の優先順位を管理し、スイッチャの起動時に、最初に起動して電源装置から電源装置のステータス情報を取得し、ステータス情報から有効な電源装置の台数を判断し、前記優先順位と前記有効な電源装置の台数とに基づいて起動可能な映像処理装置を選択し、前記起動可能な映像処理装置だけを起動させる
ことを特徴とするスイッチャの電源管理方法。
【請求項６】
複数の電源装置から電力供給を受ける複数の映像処理装置を制御するスイッチャの電源管理方法であって、
映像処理装置の優先順位を管理し、スイッチャの起動後、電源装置から供給される電源電圧が予め設定された閾値を下回ったときに、スイッチャの最終出力に使用されていない映像処理装置に最も低い優先度を設定し、スイッチャの最終出力に使用されている映像処理装置に前記優先順位に基づいた優先度を設定し、優先度の低い映像処理装置から順に回路を停止させる
ことを特徴とするスイッチャの電源管理方法。
【発明の詳細な説明】
【技術分野】
【０００１】
本発明は、複数の電源を有するスイッチャおよびスイッチャの電源管理方法に関する。
【背景技術】
【０００２】
業務用放送機器のスイッチャは複数のユニットおよび複数の電源で構成されている。電源は、一般的にＮ＋１冗長構成で構成されるが、何台かの電源の不調やＡＣケーブルの未接続などで、有効な電源の台数が減り、電源容量が不足することがある。電源容量が不足したときに、全ユニットを起動させた状態にしておくと、各ユニットに供給される電源が不安定となり、各ユニットが正常に動作できなくなる。そのため、スイッチャが完全に出力断してしまったり、外部インタフェースで電源の異常状態を伝えることができなくなったりする。
【０００３】
電源の制御方法として、複数の情報処理装置に対して、優先順位を割り当て、停電時に優先順位の高い情報処理装置から順番に無停電電源からＡＣ給電を行なう方法がある（例えば、特許文献１参照。）。また、複数個の処理装置を備えた装置において、それぞれの処理装置に優先順位を割り当てて、蓄電池から供給される電源の電圧が一定の値以下になったときに、優先順位の低い処理装置から電力供給を停止する方法がある（例えば、特許文献２参照。）。
【先行技術文献】
【特許文献】
【０００４】
【特許文献１】特開２００２−１８９５３８号公報
【特許文献２】特開平０６−２０９５２９号公報
【発明の概要】
【発明が解決しようとする課題】
【０００５】
特許文献１に記載された方法では、無停電電源の電源容量が不足している場合でも優先順位の低い情報処理装置への電力供給が行なわれている。また、特許文献２に記載された方法では、蓄電池の電源電圧の低下のみを検知しているので、蓄電池の異常が発生したか否かなどの電源の異常をユーザに通知することができない。
【０００６】
そこで、本発明は、電源が不調になり電源容量が不足した場合に、最小限の構成で動作を継続することができ、また、電源のステータス情報を通知することができるスイッチャおよびスイッチャの電源管理方法を提供することを目的とする。
【課題を解決するための手段】
【０００７】
本発明によるスイッチャは、複数の電源装置から電力供給を受ける複数の映像処理装置を制御するスイッチャであって、映像処理装置の優先順位を管理する制御装置を備え、制御装置は、スイッチャの起動時に、最初に起動して電源装置から電源装置のステータス情報を取得し、ステータス情報から有効な電源装置の台数を判断し、優先順位と有効な電源装置の台数とに基づいて起動可能な映像処理装置を選択し、起動可能な映像処理装置だけを起動する制御装置とを備えたことを特徴とする。
【０００８】
本発明によるスイッチャの電源管理方法は、複数の電源装置から電力供給を受ける複数の映像処理装置を制御するスイッチャの電源管理方法であって、映像処理装置の優先順位を管理し、スイッチャの起動時に、最初に起動して電源装置から電源装置のステータス情報を取得し、ステータス情報から有効な電源装置の台数を判断し、優先順位と有効な電源装置の台数とに基づいて起動可能な映像処理装置を選択し、起動可能な映像処理装置だけを起動させることを特徴とする。
【０００９】
本発明によるスイッチャの電源管理方法は、複数の電源装置から電力供給を受ける複数の映像処理装置を制御するスイッチャの電源管理方法であって、映像処理装置の優先順位を管理し、スイッチャの起動後、電源装置から供給される電源電圧が予め設定された閾値を下回ったときに、スイッチャの最終出力に使用されていない映像処理装置に最も低い優先度を設定し、スイッチャの最終出力に使用されている映像処理装置に優先順位に基づいた優先度を設定し、優先度の低い映像処理装置から順に回路を停止させることを特徴とする。
【発明の効果】
【００１０】
本発明によれば、電源が不調になり電源容量が不足した場合に、最小限の構成で動作することができる。また、最小限の構成で動作可能であるので、電源のアラーム情報を通知したり、スイッチャを完全に出力断させないようにしたりできる。
【図面の簡単な説明】
【００１１】
【図１】本発明が適用されるスイッチャの第１の実施形態の構成例を示すブロック図である。
【図２】スイッチャ１００の構成の一例を示すブロック図である。
【図３】ＭＫ１４３の出力を最終出力とした場合の信号の流れを示す説明図である。
【図４】本発明によるスイッチャの主要部を示すブロック図である。
【発明を実施するための形態】
【００１２】
実施形態１．
以下、本発明の第１の実施形態を図面を参照して説明する。
【００１３】
図１は、本発明が適用されるスイッチャの第１の実施形態の構成例を示すブロック図である。スイッチャ１００は、電源ユニット１１１〜１１３と、コントロールユニット１２０と、ユニット２００とを備える。なお、図１には、３つの電源ユニット１１１〜１１３が例示されているが、電源ユニットはいくつあってもよい。また、ユニット２００は複数あってもよい。
【００１４】
電源ユニット１１１〜１１３は、ＡＣ電流をＤＣ電流に変換し、ユニット２００にＤＣ電流を供給する電源である。電源ユニット１１１〜１１３は、Ｎ＋１冗長構成で構成される。Ｎ＋１冗長構成は、複数台の電源ユニットのうち、例えば、１台を予備系とし、残りを運用系とする構成である。なお、電源ユニット１１１〜１１３は、Ｎ＋１冗長構成以外で構成されていてもよい。
【００１５】
電源ユニット１１１〜１１３は、通信インタフェース１６１でコントロールユニット１２０と接続されている。
【００１６】
電源ユニット１１１〜１１３は、通信インタフェース１６１を介して、コントロールユニット１２０に電源ユニットのステータス情報を通知する。電源ユニットのステータス情報は、電源ユニット１１１〜１１３のそれぞれのアラーム情報、電源ＯＮ／ＯＦＦ情報などを含む。
【００１７】
コントロールユニット１２０は、制御回路１２１と、有効電源台数チェック回路１２２ＤＣ―ＤＣコンバータ１２３を含む。また、コントロールユニット１２０は、イーサネット（登録商標）などの外部インタフェース１５３で、スイッチャ１００の外部に設置された端末（以下、操作端末という。）と接続可能である。また、コントロールユニット１２０は、制御インタフェース１６２でユニット２００と接続されている。
【００１８】
有効電源台数チェック回路１２２は、通信インタフェース１６１を介して電源ユニット１１１〜１１３と通信し、電源ユニット１１１〜１１３がスイッチャ１００に接続されているか否かを確認し、接続されている電源ユニットからステータス情報を取得する。有効電源台数チェック回路１２２は、電源ユニットの接続状態および取得したステータス情報から、有効な電源台数を判断する。また、有効電源台数チェック回路１２２は、電源ユニットのステータス情報を制御回路１２１に出力する。
【００１９】
制御回路１２１は、有効電源台数チェック回路１２２から入力されたステータス情報を外部インタフェース１６３を介して、操作端末に出力する。また、操作端末から入力されたユニット２００の優先順位を保持する。優先順位は、ユニット２００が複数ある場合に、電源ユニットが不調になり電源容量が不足したときに、どのユニットから動作を停止させるかを判断するための情報である。
【００２０】
制御用回路１２１は、制御インタフェース１６２を介して、ユニット２００と通信し、ユニット２００を制御する。
【００２１】
ユニット２００は、電源制御回路２１０と、メイン回路２２０とを含む。ユニット２００は、コントロールユニット１２０によって制御されるユニットであって、ＭＴＸ（Ｍａｔｒｉｘ  Ｓｗｉｔｃｈｅｒ）やＭＫ（Ｍｉｘｅｒ  ａｎｄ  Ｋｅｙｅｒ）やＤＶＥ（Ｄｉｇｉｔａｌ  Ｖｉｄｅｏ  Ｅｆｆｅｃｔ）などのユニットである。
【００２２】
電源制御回路２１０は、制御／ＤＣ電源監視回路２１１とＤＣ―ＤＣコンバータ２１２とを含む。
【００２３】
制御／ＤＣ電源監視回路２１１は、制御インタフェース１６２を介して、コントロールユニット１２０と通信を行う。また、制御／ＤＣ電源監視回路２１１は、メイン回路２２０のＤＣ―ＤＣコンバータ２２２ａ〜２２２ｃを制御する。
【００２４】
ＤＣ―ＤＣコンバータ２１２は、ＤＣ電源から供給されるＤＣ電圧を適当な電圧値に変換して制御／ＤＣ電源監視回路２１１に供給する回路である。
【００２５】
メイン回路２２０は、サブ回路２２１ａ〜２２１ｃとＤＣ―ＤＣコンバータ２２２ａ〜２２２ｃとを含む。
【００２６】
サブ回路２２１ａ〜２２１ｃは、メイン回路２２０を構成する回路であって、ユニット２００の種類に応じた機能を供える。また、図２では、３つのサブ回路２２１ａ〜２２１ｃが例示されているが、サブ回路は３つに限定されない。
【００２７】
ＤＣ―ＤＣコンバータ２２２ａ〜２２２ｃは、ＤＣ電源から供給されるＤＣ電圧を適当な電圧値に変換してサブ回路２２１ａ〜２２１ｃに供給する回路である。ＤＣ―ＤＣコンバータ２２２ａ〜２２２ｃは、制御／ＤＣ電源監視回路２１１の指示に基づいて、サブ回路への電力供給のＯＮ／ＯＦＦを切り替える。
【００２８】
制御／ＤＣ電源監視回路２１１は、コントロールユニット１２０から入力された優先度を保持する。また、制御／ＤＣ電源監視回路２１１は、電源ユニット１１１〜１１３から入力されるＤＣ電源の電源電圧を監視し、ＤＣ電源の電源電圧が予め設定された閾値を下回った場合は、電源ユニットに異常があったと判断する。また、電源ユニットが異常と判断した場合に優先度が低いときは、ユニットの動作状態に応じて、ＤＣ−ＤＣ回路２２２ａ〜２２２ｃのＯＮ／ＯＦＦを制御する。
【００２９】
次に、本実施形態の動作について説明する。
【００３０】
図２は、スイッチャ１００の構成の一例を示すブロック図である。
【００３１】
スイッチャ１００は、電源ユニット１１１〜１１３とコントロールユニット１２０とを備える。また、電源ユニット１１１〜１１３は、２＋１冗長構成で構成されている。また、コントロールユニット１２０は、操作端末３００と接続されている。
【００３２】
スイッチャ１００は、ＭＴＸ１３０、ＭＫ１４１〜１４３およびＤＶＥ１５１〜１５２のユニットを備える。図２では、３つのＭＫ１４１〜１４３が例示されているが、ＭＫはいくつあってもよい。また、図２では、２つのＤＶＥ１５１〜１５２が例示されているが、ＤＶＥはいくつあってもよい。また、各ユニットは、ユニット２００の構成を有する。
【００３３】
ＭＴＸ１３０は、入出力信号の切り替え処理を行なうユニットである。ＭＴＸ１３０は、ＳＤＩ信号を入力し、ＳＤＩ信号に含まれる映像信号や音声信号をＭＫ１４１〜１４３、ＤＶＥ１５１〜１５２の各々に出力する。また、ＭＫ１４１〜１４３、ＤＶＥ１５１〜１５２の出力信号を入力信号として入力する。また、ＭＴＸ１３０は、入力信号をＭＫ１４１〜１４３、ＤＶＥ１５１〜１５２のどれに出力するかを自在に切り替えることができる。入出力信号の切り替えは、操作端末からコントロールユニット１２０を介してＭＴＸ１３０に設定することができる。
【００３４】
ＭＫ１４１〜１４３は、映像または音声の合成や文字スーパの合成を行なうユニットである。
【００３５】
ＤＶＥ１５１〜１５２は、映像の拡大縮小、並行移動、回転移動、変形などを行なうユニットである。
【００３６】
次に、ＭＫ１４３の出力を最終出力とした場合のスイッチャ１００の起動時の動作について説明する。
【００３７】
図３は、ＭＫ１４３の出力を最終出力とした場合の信号の流れを示す説明図である。
【００３８】
図３に示すようにＭＫ１４３の出力を最終出力とした場合は、コントロールユニット１２０と、ＭＴＸ１３０およびＭＫ１４３は、最終出力を出力させるために必ず必要となる。この場合、ＭＴＸ１３０およびＭＫ１４３は、常に起動させる必要があるユニットであるので、ユニット２００で示される構成を有していないＭＴＸおよびＭＫであってもよい。ここでは、ＭＴＸ１４３およびＭＫ１４３がユニット２００で示される構成を有していない場合について説明する。
【００３９】
スイッチャ１００に電源が投入され、電源ユニット１１１〜１１３が起動してＤＣ電源が安定すると、コントロールユニット１２０、ＭＴＸ１３０およびＭＫ１４３が起動する。また、ＭＫ１４１〜１４２、およびＤＶＥ１５１〜１５２の電源制御回路２１０が起動する。
【００４０】
次に、コントロールユニット１２０の有効電源台数チェック回路１２２は、電源ユニット１１１〜１１３のそれぞれがスイッチャ１００に接続されているか否かを確認する。有効電源台数チェック回路１２２は、接続されている電源ユニットからステータス情報を取得し、有効な電源ユニットの台数（以下、有効電源台数という。）を判断する。有効電源台数チェック回路１２２は、ステータス情報と有効電源台数の情報とを制御回路１２１に出力する。制御回路１２１は、入力されたステータス情報を外部インタフェース１６３に出力する。
【００４１】
制御回路１２１は、有効電源台数およびＭＫ１４１〜１４２、およびＤＶＥ１５１〜１５２の各ユニットの優先順位に基づいて起動可能なユニットを判断し、起動可能なユニットの電源制御回路２１０に対して、メイン回路２２０のＤＣ−ＤＣ回路２２２ａ〜２２２ｃをＯＮするように指示を出す。
【００４２】
次に、ＭＫ１４３の出力を最終出力とした場合のスイッチャ１００の起動後の動作について説明する。
【００４３】
コントロールユニット１２０の制御回路１２１は、各ユニットの出力が最終出力で使用されているか否か、つまり、ＭＫ１４１〜１４２、ＤＶＥ１５１〜１５２の出力がＭＫ１４３の入力に選択されているか否かの情報（以下、出力設定情報という。）を、制御インタフェース１６２を介してＭＴＸ１３０から取得する。
【００４４】
制御回路１２１は、出力設定情報に基づいて出力が最終出力で使用されていないユニットを判断し、出力が最終出力で使用されていないと判断したユニットの制御／ＤＣ電源監視回路２１１に対して、低い優先度を設定する。
【００４５】
出力が最終出力で使用されていないユニットの制御／ＤＣ電源監視回路２１１は、ＤＣ電源の電源電圧が予め設定された閾値を下回っていて、且つ、コントロールユニット１２０によって設定された優先度が低い場合は、電源ユニットの電源負荷を下げるために、サブ回路２２１ａ〜２２１ｃのＤＣ−ＤＣ回路２２２ａ〜２２２ｃをオフにしてユニットの動作を停止させる。このとき、制御／ＤＣ電源監視回路２１１は、電源異常によりユニットの動作を停止させたことをコントロールユニット１２０を介して、操作端末３００に通知する。また、コントロールユニット１２０は、以降、停止させたユニットへの操作を操作端末３００から受け付けないようにする。
【００４６】
制御回路１２１は、出力が最終出力で使用されていないユニットの動作を停止させてもＤＣ電源の電圧が回復しない場合は、ユニットの優先順位に基づいて、出力が最終出力で使用されているユニットのうち、最も優先順位が低いユニットの制御／ＤＣ電源監視回路２１１に対して、低い優先度を設定する。
【００４７】
出力が最終出力で使用されているユニットの制御／ＤＣ電源監視回路２１１は、ＤＣ電源の電源電圧が予め設定された閾値を下回っていて、且つ、コントロールユニット１２０によって設定された優先度が低い場合は、電源ユニットの電源負荷を下げるために、サブ回路２２１ａ〜２２１ｃのＤＣ−ＤＣ回路２２２ａ〜２２２ｃをオフにしてユニットの動作を停止させる。このとき、出力が最終出力で使用されているユニットは、主要な処理（映像の合成処理や出力処理など。）を継続して動作させることが望ましい。そのため、制御／ＤＣ電源監視回路２１１は、優先度の低いサブ回路のＤＣ−ＤＣ回路をオフにして動作を停止させる。
【００４８】
例えば、サブ回路２２１ａがユニットの主要な処理を行なう回路であって、サブ回路２２１ｂ、２２１ｃがステータス通知やプレビュー処理などの主要な処理以外の処理を行う回路であった場合は、サブ回路２２１ｂ、２２１ｃの優先度は低い。そのため、制御／ＤＣ電源監視回路２１１は、サブ回路２２１ｂ、２２１ｃを先に停止させ、サブ回路２２１ａの動作を継続させる。サブ回路２２１ｂ、２２１ｃの動作を停止させてもＤＣ電源の電圧が回復しないときは、サブ回路２２１ａの動作を停止させる。このとき、サブ回路２２１ａの動作を停止させずに、継続させてもよい。
【００４９】
制御／ＤＣ電源監視回路２１１は、電源異常によりメイン回路２２０のサブ回路の動作を停止させたことをコントロールユニット１２０を介して、操作端末３００に通知する。また、コントロールユニット１２０は、以降、停止させたユニットのサブ回路への操作を操作端末３００から受け付けないようにする。
【００５０】
出力が最終出力で使用されているユニットのうち、最も優先順位が低いユニットの動作を停止させてもＤＣ電源の電圧が回復しない場合は、次に優先順位の低いユニットに対して、同様の処理を繰り返す。
【００５１】
以上に説明したように、スイッチャ１００の起動時または起動中に複数ある電源ユニットのうちの何台かの電源ユニットが不調になり電源容量が不足した場合に、完全に出力断とならずに、最小限の構成で動作を継続させることができる。また、コントロールユニット１２０は常に起動しているので、操作端末３００に電源ユニットのステータス情報を通知することができる。
【００５２】
また、優先順位は操作端末３００から任意に設定できるので、スイッチャ１００の電源投入時に、必要最小限のユニットを起動させたり、ＤＶＥ１５１〜１５２以外を起動させたりすることができる。
【００５３】
図４は、本発明によるスイッチャの主要部を示すブロック図である。図４に示すように、複数の電源装置１１１〜１１ｎ（実施形態では、電源ユニット１１１〜１１３で実現される。）から電力供給を受ける複数の映像処理装置１３１〜１３ｎ（実施形態では、ユニット２００で実現される。）を制御するスイッチャ１０（実施形態では、スイッチャ１００で実現される。）であって、映像処理装置１３１〜１３ｎの優先順位を管理する制御装置１２（実施形態では、コントロールユニット１２０で実現される。）を備え、制御装置は、スイッチャの起動時に、最初に起動して電源装置１１１〜１１ｎから電源装置１１１〜１１ｎのステータス情報を取得し、ステータス情報から有効な電源装置の台数を判断し、優先順位と有効な電源装置の台数とに基づいて起動可能な映像処理装置を選択し、起動可能な映像処理装置だけを起動する制御装置とを備えたことを特徴とする。
【００５４】
上記の実施形態には、以下のようなスイッチャも開示されている。
【００５５】
（１）制御装置１２は、スイッチャ１０の起動後、電源装置１１１〜１１ｎから供給される電源電圧が予め設定された閾値を下回ったときに、スイッチャ１０の最終出力に使用されていない映像処理装置に最も低い優先度を設定し、スイッチャの最終出力に使用されている映像処理装置は優先順位に基づいて優先度を設定し、優先度の低い映像処理装置から順に回路を停止させるスイッチャ。
【００５６】
（２）映像処理装置１３１〜１３ｎは、複数の回路（実施形態では、サブ回路２２１ａ〜２２１ｃで実現される。）を備え、電源装置１１１〜１１ｎから供給される電源電圧が予め設定された閾値を下回ったときに、制御装置１２から設定された優先度が低い場合は、動作状態に応じて回路に優先度を設定し、優先度の低い回路の電力供給を停止させるスイッチャ。
【００５７】
（３）制御装置１２は、電源装置１１１〜１１ｎから電源装置１１１〜１１ｎのステータス情報を取得すると、外部インタフェース（実施形態では、外部インタフェース１６３で実現される。）を介して操作端末（実施形態では、操作端末３００で実現される。）に電源装置１１１〜１１ｎのステータス情報を送信する。
【符号の説明】
【００５８】
１０、１００  スイッチャ
１１１〜１１ｎ  電源装置
１２  制御装置
１３１〜１３ｎ  映像処理装置
１１１、１１２、１１３  電源ユニット
１２０  コントロールユニット
１２１  制御回路
１２２  有効電源台数チェック回路
１２３、２１２、２２２ａ、２２２ｂ、２２２ｃ  ＤＣ―ＤＣコンバータ
１３０  ＭＴＸ
１４１、１４２、１４３  ＭＫ
１５１、１５２  ＤＶＥ
１６１  通信インタフェース
１６２  制御インタフェース
１６３  外部インタフェース
２００  ユニット
２１０  電源制御回路
２１１  制御／ＤＣ電源監視回路
２２０  メイン回路
２２１ａ、２２１ｂ、２２１ｃ  サブ回路
３００  操作端末
【図１】
2012123734.tif 000003
【図２】
2012123734.tif 000004
【図３】
2012123734.tif 000005
【図４】
2012123734.tif 000006